(57)【特許請求の範囲】
【請求項１】
両端部に家具本体の係合部と係合し得るラッチ爪を有するラッチ棒を、家具本体に開閉自在に枢着された扉の裏面に前記係合方向に回動付勢させて軸支し、前記扉の表面に設けたレバーの操作に連係して前記ラッチ棒を回動させ、前記ラッチ爪と係合部との係合を解除しうる家具における扉のロック装置において、
扉の表面のレバーの上下いずれかにキー操作により移動する移動部を有するシリンダ錠を設け、該シリンダ錠を挟んでラッチ棒の反対側の扉の裏面に、施解錠スイッチからの信号により軸が伸縮する電磁ソレノイドを固着するとともに、前記シリンダ錠の後方を通過して左右方向を向く係止板を、シリンダ錠と電磁ソレノイドの間の扉の裏面に軸着し、前記係止板の一端を電磁ソレノイドの軸と連係させ、かつ他端を、ラッチ棒を回動可能または回動不能状態のいずれかにしうるようにラッチ棒の係合部に対して係脱可能に設け、さらに前記キー操作によるシリンダ錠の移動部の移動により、前記係止板の他端とラッチ棒の係合部との係止状態が解除されるようにしたことを特徴とする家具における扉のロック装置。
【請求項２】
電磁ソレノイドを自己保持型とするとともに、電磁ソレノイドの軸の伸張方向に付勢するバネを設け、かつ、このバネの付勢力を、電磁ソレノイドが電気により作動して収縮された時の自己保持力より小さく、手動により収縮方向に移動させた時の自己保持力より大きくした請求項１に記載の家具における扉のロック装置。
【発明の詳細な説明】
【０００１】
【発明の属する技術分野】
本発明は、ロッカーやキャビネット等の回動式扉の施解錠を、電気を使用することにより容易に行うことが出来る家具における扉のロック装置に関する。
【０００２】
【従来の技術】
従来、この種のロック装置としては実公平３−１２１３１号公報に開示されている。この装置では、電磁ソレノイドによって、扉の施解錠が電気的に行われるため、錠前による施解錠と比較して施解錠作業が楽に行える。特に多くのロッカーやキャビネットの施解錠を行う場合には、錠前の場合には、各ロッカーやキャビネット毎のキー操作が必要であるのに対して、この装置を備えたロッカーやキャビネットの場合には、集中制御部に各ロッカーやキャビネットの電磁ソレノイドの制御作業が非常に楽に行え、退社時の全ロッカーやキャビネットの同時施錠、出社時の全ロッカーやキャビネットの同時解錠が可能となり、文書等の盗難防止に有効である。
【０００３】
【発明が解決しようとする課題】
しかしながら、このような装置では、電磁ソレノイドと該電磁ソレノイドと連係するロック体、および電気的に施錠された状態で停電や電気装置の故障が起こった場合に使用する扉の施錠を解くためのシリンダ錠が、扉の表面に設けたレバーに対してラッチ棒と反対側のレバー側部に設けられているため、装置全体が大きくなってしまうといった欠点があった。
【０００４】
また、電磁ソレノイドと連係するロック体と係脱するラッチ棒側の係止体が、ラッチ棒からロック体に向って長く延設され、さらにロック体側の係合部も、上下回動によるストロークが長い部分で、係止体との係脱がより確実に行われるようにロック体の回動中心からラッチ棒に向って長く延設されているので、部品間や組立の精度が悪いと扉の施錠状態での扉のがたつきが発生しやすく、また扉の施錠状態で扉をこじあけようとする力が働くと係止体及びロック体に変形や破損が起きやすいという問題点があった。
【０００５】
本発明はこのような問題点を解決するため、装置全体が小さくでき、扉の施錠状態での扉のがたつきが発生しにくく、また扉の施錠状態で扉をこじあけようとする力が働いても各部品に変形や破損が起きることがない家具における扉のロック装置を提供することを目的としている。
【０００６】
【課題を解決するための手段】
上記目的を達成するために、本発明の家具における扉のロック装置にあっては、両端部に家具本体の係合部と係合し得るラッチ爪を有するラッチ棒を、家具本体に開閉自在に枢着された扉の裏面に前記係合方向に回動付勢させて軸支し、前記扉の表面に設けたレバーの操作に連係して前記ラッチ棒を回動させ、前記ラッチ爪と係合部との係合を解除しうる家具における扉のロック装置において、
扉の表面のレバーの上下いずれかにキー操作により移動する移動部を有するシリンダ錠を設け、該シリンダ錠を挟んでラッチ棒の反対側の扉の裏面に、施解錠スイッチからの信号により軸が伸縮する電磁ソレノイドを固着するとともに、前記シリンダ錠の後方を通過して左右方向を向く係止板を、シリンダ錠と電磁ソレノイドの間の扉の裏面に軸着し、前記係止板の一端を電磁ソレノイドの軸と連係させ、かつ他端を、ラッチ棒を回動可能または回動不能状態のいずれかにしうるようにラッチ棒の係合部に対して係脱可能に設け、さらに前記キー操作によるシリンダ錠の移動部の移動により、前記係止板の他端とラッチ棒の係合部との係止状態が解除されるようにしたことを特徴としている。
この特徴によれば、装置全体が小さくでき、扉の施錠状態での扉のがたつきが発生しにくく、また施錠状態で扉をこじあけようとずる力が働いても各部品に変形や破損が起きることがない家具における扉のロック装置を提供することができる。
【０００７】
本発明の家具における扉のロック装置は、電磁ソレノイドを自己保持型とするとともに、電磁ソレノイドの軸の伸張方向に付勢するバネを設け、かつ、このバネの付勢力を、電磁ソレノイドが電気により作動して収縮された時の自己保持力より小さく、手動により収縮方向に移動させた時の自己保持力より大きくしたことが好ましい。
このようにすることで、ラッチ棒を回動不能状態とする係止板の他端とラッチ棒の係合部との係止状態から、キー操作によりシリンダ錠の移動部と係止板とを連係させることで、前記係止状態を非常解除してラッチ棒を回動可能状態とした後、再びキー操作によりシリンダ錠の移動部を元の状態に戻すと、強制的に収縮方向に移動させられた電磁ソレノイドの軸が、バネの付勢力が電磁ソレノイドの自己保持力より大きいために、自動的に伸張され、係止板の他端とラッチ棒の係合部とが係止状態となり、ラッチ棒が回動不能状態となる。すなわち、電気的な施錠状態から、停電時等により個別のロッカー等の扉をキー操作により解錠した後、再びキーにより施錠操作することにより、電気的な施錠状態に戻すことが可能となる。
【０００８】
【発明の実施の形態】
以下、本発明の実施形態を図面に基づいて説明すると、まず図１には本発明の適用されるロッカー１が複数列設された状態が示されており、２は該ロッカー１の前面に開閉可能に枢着された扉、３は該扉２を前面に開口するために設けられた引手孔である。
【０００９】
前記扉２は特に図３に示されるように肉薄の板材により中空状に形成されており、この中空部内の開放端側には、上下端にロッカー１の本体部所定箇所に設けられる係合部と係合し得るラッチ爪４、４’を有するラッチ棒５、５’が上下一対に配設されているとともに、前記引手孔３近傍には後述する本発明のロック装置６が配設されている。
【００１０】
このロック装置６内には、鍵孔７ａを扉２の前面の引手孔３下方位置に開口したシリンダ錠７及び電磁ソレノイド９が内設されている。そして個々のロッカー１に設けられる電磁ソレノイド９は全てロッカー１外部適所に設けられる１つのスイッチ部８に連結されている（図１）。
【００１１】
前記上下一対のラッチ棒５、５’のそれぞれの一端は、図２に示すようにロック装置６を構成する基板１３の上、下板１３ａ、１３ｂに軸支され、他端はそれぞれ扉２の上下端に固着された軸受け１０、１０’により軸支されている。そしてこれらラッチ棒５、５’は前記基板１３の上、下板１３ａ、１３ｂ間に枢支される引手部材１４に連結され、該引手部材１４と伴に回動するようになっている。
【００１２】
このラッチ棒５、５’は、適宜付勢手段（図示略）により常にラッチ爪４、４’の係合方向に回動付勢されているので、扉２を閉じるとラッチ爪４は自動的にロッカー１の本体部に設けられる係合部（図示略）に係合されるようになっている。
【００１３】
図２における１５は前記引手部材１４の上部に固着されたレバーであり、その先端部が引手孔３に臨むような形状をなしている。また、引手部材１４の下部には、後述する係止板との係合により引手部材１４の回動を規制する係合部材１６が固着されている。
【００１４】
基板１３における引手孔３の下方位置に固設されたシリンダ錠７には、鍵孔７ａに差込み可能なキーの回動操作により、左右方向に摺動する移動部としての摺動板１７が設けられている。
【００１５】
この摺動板１７の先端は、軸部材３０をもって基板１３の取付板３１に軸着された係止板３２に設けられた突部３３に摺接されており、この摺動板１７が左右方向に移動することにより係止板３２が軸部材３０を中心に回動されるようになっている。また、この係止板３２は、その先端の係止片３２ｂが引手部材１４の係合部材１６に対して係脱可能となるように設けられている。なお、３８は、ロック装置６の故障時等に用いられる手動レバーであり、手動により係止板３２を回動させることが出来るようになっている。
【００１６】
係止板３２の他端には、電磁ソレノイド９にバネ３４を介して伸縮自在に嵌挿された軸３５より、水平に延びる水平部材３５ａの先端が枢設されている。さらに係止板３２の後端に屈曲形成される当接片３２ａ（図３参照）は、係止板３２の上下に所定距離離間して設けられたリミットセンサ３６、３６’のスイッチ部材３７、３７’に選択的に当接可能なように設けられている。このリミットセンサ３６、３６’は前記外部のスイッチ部８等に電気的に接続されており、係止板３２の当接片３２ａによりいずれかのスイッチ部材３７、３７’が押圧された時、すなわち電磁ソレノイド９の軸３５が完全に収縮、もしくは伸張された時にスイッチ部８等に信号を送出するようになっているため、扉の施解錠の状態が確認できるようになっている。
【００１７】
図６（ａ）、（ｂ）には本実施形態における電磁ソレノイド９の構造の概略が示されている。電磁ソレノイド９のケース９ａ内には、コイル４０、永久磁石４１がそれぞれ内設されており、コイル４０内には鉄心としての軸３５が嵌挿されている。この軸３５の先端部は、ケース９ａ外部に突出されており、その外周には、軸３５をケース９ａ外部方向に付勢するバネ３４が嵌装されている。なお、永久磁石４１は、Ｎ極がコイル４０側を向くように内設されている。
【００１８】
コイル４０に所定方向の電流が流れ、そこに生じる磁場により、図６（ａ）に示されるように、軸３５の下側がＮ極、上側がＳ極になると、軸３５のＳ極と永久磁石４１のＮ極とが互いに引合い、軸３５はケース９ａ内方向に移動（収縮）される。ここで、図７に示されるように所定強さの磁界Ｈ１が生じている場合、軸３５は磁束密度Ｂ２をもって永久磁石４１と強く引合い、保持されている。
【００１９】
そして軸３５の移動完了とともに電流が途絶えて磁界が０になっても、ヒステリシス現象により、軸３５には残留磁束密度Ｂ１が残り、電流が途絶えても、この残留磁束力により、軸３５のＳ極が永久磁石４１のＮ極と強く引合うため、軸３５がケース９ａ内に確実に保持されるようになっている。
【００２０】
ここでコイル４０に前述よりも少量の電流が反対方向に流れると、図６（ａ）の状態で軸３５に働いていた磁束力（残留磁束力）が相殺されて磁束力がなくなり、軸３５は永久磁石４１の磁力のみにより吸引されることになる。しかし、バネ３４の付勢力が前記永久磁石４１の吸引力よりも大きいため、軸３５はケース９ａ外方向に移動（伸張）される。
【００２１】
このように、軸３５のケース９ａ外方向へ付勢するバネ３４の付勢力は、残留磁束密度Ｂ１をもって永久磁石４１と引合う軸３５の保持力より小さく、残留磁束密度がなくなり永久磁石４１との磁力のみで永久磁石４１と引合う軸３５の保持力よりも大きく設定されている。
【００２２】
このように構成された本発明の実施の形態としてのロック装置６の作用を図１〜図５に基づいて説明していくと、まず通常時において、各ロッカー１の電磁ソレノイド９の軸３５が前述のように残留磁束密度Ｂ１をもって永久磁石４１と引合い、図４に示されるように収縮状態にある時、係止板３２の係止片３２ｂと係合部材１６との係合が解除されているため、引手部材１４及び上下のラッチ棒５、５’の回動が許容され、扉２の開放が自在となっている。この時上方のリミットセンサ３６のスイッチ部材３７は、当接片３２ａにより押圧されている。
【００２３】
次に各扉２を閉めた状態で、スイッチ部８をＯＮして、各電磁ソレノイド９の軸３５が無磁化され、バネ３４の付勢力を以て図１に示されるように伸長されると、当接片３２ａ係止板３２が反時計回りに回動され、係止片３２ｂと係合部材６とが係合されて、引手部材１４及び上下のラッチ棒５、５’の回動が規制される。よってラッチ爪４、４’の、ロッカー１本体部に形成された係合孔からの離脱方向への回動が阻止され、扉２が閉じた状態でロックされるため、扉２の開放が不能になる。
【００２４】
さらに、前述のように各ロッカー１の扉２が一斉にロックされた状態（図１）において、任意のロッカー１におけるシリンダ錠７を適宜キーにより施錠操作して、図５に示されるように摺動板１７が図中左方向へ水平移動されると、この移動により摺動板１７の端部が係止板３２の突部３３に摺接されるとともに、突部３３を下方に押圧する。
【００２５】
この時、電磁ソレノイド９は図６（ｂ）に示す状態であり、バネ３４の付勢力により伸張されているだけで、軸３５は伸縮可能であるため、軸３５は強制的に収縮され、係止板３２が反時計回りに回動される。そして係止片３２ｂと係合部材６とが係合されて前述した電気的な施錠状態と同様の状態となる。
【００２６】
よってロッカー１の扉２が電磁ソレノイド９によりロック状態となっている場合において、各ロッカー１のシリンダ錠７をキー操作することにより、扉２を個別に開放することが出来る。
【００２７】
さらに、個別に開放した扉２をキーにより再び解錠操作した場合、電磁ソレノイド９の軸３５は磁束密度がないので、永久磁石４１による保持力よりもバネ３４の付勢力がまさり、軸３５が自動的に伸張されて係止板３２が回動されるため、係止片３２ｂと係合部材６とが再び係合され、扉２がロック状態となる。
【００２８】
このように本発明の家具等における扉のロック装置にあっては、扉２の施錠状態でのがたつきが発生しにくく、また扉２の施錠状態で扉２をこじあけようとする力が働いても、各部品に変形や破損が起きることがない。
【００２９】
以上、本発明の実施形態を図面により説明してきたが、具体的な構成はこれら実施形態に限られるものではなく、本発明の要旨を逸脱しない範囲における変更や追加があっても本発明に含まれる。
【００３０】
【発明の効果】
本発明は次の効果を奏する。
【００３１】
（ａ）請求項１の発明によれば、装置全体が小さくでき、扉の施錠状態での扉のがたつきが発生しにくく、また施錠状態で扉をこじあけようとずる力が働いても各部品に変形や破損が起きることがない家具における扉のロック装置を提供することができる。
【００３２】
（ｂ）請求項２の発明によれば、ラッチ棒を回動不能状態とする係止板の他端とラッチ棒の係合部との係止状態から、キー操作によりシリンダ錠の移動部と係止板とを連係させることで、前記係止状態を非常解除してラッチ棒を回動可能状態とした後、再びキー操作によりシリンダ錠の移動部を元の状態に戻すと、強制的に収縮方向に移動させられた電磁ソレノイドの軸が、バネの付勢力が電磁ソレノイドの自己保持力より大きいために、自動的に伸張され、係止板の他端とラッチ棒の係合部とが係止状態となり、ラッチ棒が回動不能状態となる。すなわち、電気的な施錠状態から、停電時等により個別のロッカー等の扉をキー操作により解錠した後、再びキーにより施錠操作することにより、電気的な施錠状態に戻すことが可能となる。
【００３３】
【図面の簡単な説明】
【図１】本発明の適用されるロッカーを示す斜視図である。
【図２】ロック装置の施錠状態を示す図である。
【図３】図２のＡ−Ａ断面図である。
【図４】ロック装置の解錠状態を示す図である。
【図５】ロック装置のキー操作による解錠状態を示す図である。
【図６】（ａ）は電磁ソレノイドの軸の収縮状態を示し、（ｂ）は電磁ソレイドの軸の伸長状態をそれぞれ示す概略図である。
【図７】磁束密度と磁界の強さとの関係を示す図である。
【符号の説明】
１            ロッカー
２            扉
３            引手孔
４、４’      ラッチ爪
５、５’      ラッチ棒
６            ロック装置
７            シリンダ錠
７ａ          錠孔
８            スイッチ部
９            電磁ソレノイド
９ａ          ケース
１０、１０’    軸受
１３            基板
１３ａ          上板
１３ｂ          下板
１４            引手部材
１５            レバー
１６            係合部材
１７            摺動板（移動部）
３０            軸部材
３１            取付板
３２            係止板
３２ａ          当接片
３２ｂ          係止片
３３            突部
３４            バネ
３５            軸
３５ａ          水平部材
３６、３６’    リミットセンサ
３７、３７’    スイッチ部材
３８            手動レバー
４０            コイル
４１            永久磁石
【図１】
0003920962.tif 000002
【図２】
0003920962.tif 000003
【図３】
0003920962.tif 000004
【図４】
0003920962.tif 000005
【図５】
0003920962.tif 000006
【図６】
0003920962.tif 000007
【図７】
0003920962.tif 000008